(57)【要約】【課題】  本考案は、機能や操作性は伝統的なものと変わらないが、収納時の占有空間が大幅に小さく、収納効率と取り扱い上の安全性を向上させた手動糸紡ぎ車を安価に製作する。【解決手段】  本考案は、最小限必要な点数の部品を、簡便な方法で組み立てることで、伝統的なものと同等の機能と操作性を持つ手動糸紡ぎ車を構成できるようにし、またその同じ部品をあますところなく使って、簡単にＡ４サイズ書籍相当の直方体の輪郭線を持つ丈夫な筐体を構成できるようにする。手動糸紡ぎ車の主要機構をその丈夫な筐体内部にすべて収容することで、収納・取り出しのときの安全性を向上させる。【選択図】図１
0003133347.tif 000002
【実用新案登録請求の範囲】
【請求項１】
伝統的な糸紡ぎ車の機能と操作性を維持しながら、それを簡便な方法であますところなく少数の部品に分解し、そのすべてを使って市販の書棚に収容できるブックサイズの筐体を簡単に再構成できるようにしたことを特徴とする家庭用手動糸紡ぎ車。
【考案の詳細な説明】
【技術分野】
【０００１】  本考案は、手動糸紡ぎ車を、道具を使わずに部品群に分解できるようにし、その部品群を、別の組み合わせ方でＡ４サイズの本の輪郭を持つ筐体に、道具を使わずに再構成できるようにしたものである。
【背景技術】
【０００２】  糸の手紡ぎは、古来変わらない形と機能を持つ伝統的な糸紡ぎ車で行われてきた。その形態は、長年の洗練によって、各操作部の位置関係などが操作者にとって最も楽であり、長時間の作業を最大効率でできるようなものになっている。紡糸が機械化されて以来、手紡ぎ糸車の市販は希になり、その結果高価なものになっている。また、素材として竹や竹の皮を使用するので、自製しようとしても都会では入手困難になってきた。さらに、伝統的な糸紡ぎ車は農家の大きな居住空間で使用されてきたものであるので、その収納効率には何の配慮もされておらず、現代の居住空間では収納に問題があり、普及の妨げとなっている。
【考案の開示】
【考案が解決しようとする課題】
【０００３】  伝統的な糸紡ぎ車は、直径６０ｃｍに及ぶ大きな車と、長さ８０ｃｍに及ぶ横板、さらに３０ｃｍに及ぶ奥行きをもつ先端が鋭利な細い金属丸棒などで構成されるものであり、非使用時には二次元的にも三次元的にも大きな収納空間を要する。しかも装置の心臓部である金属棒は、径が小さいので曲がりやすいうえに、装置本体から外部に突出していて、その鋭利な先端の扱いには危険を伴うので、収納場所への出し入れの際も、その通行路として余裕ある空間が必要である。現代の住居空間ではこれらの確保は困難であり、家庭への糸紡ぎ車の導入を困難にしている。
一方、伝統的な糸紡ぎ車を、単に各部の比を保ったまま小型化すると、古来変わることがない人体のサイズや稼動範囲との関係で操作がしにくくなり、作業効率が著しく落ちる。操作性を維持するためには、操作時の操作者の左手と右手それぞれの床がらの高さ、左手と右手の間の間隔、右手の回転半径、右手で回転・逆回転を与えるときと回転を止めるときの手ごたえ、右手で与える回転数と左手で操作する金属棒の回転数の比、以上すべてを、伝統的な糸紡ぎ車のものと同じにする必要がある。
本考案は、簡単に入手できる材料で製作される部品構成によって、このような問題点を解決しようとするものである。
【課題を解決するための手段】
【０００４】  本考案は、回転を与える車を二重化することで車輪を小型化し、容易に入手できる市販の木材から製作できるようにした。さらに、部品の接合はホゾにより行い、分解、組立を簡単に行えるようにした。また同一の部品群の組み合わせ方を変えることにより、操作部の位置関係を伝統的なものと同じにした糸紡ぎ車を構成したり、書籍の標準サイズであるＡ４サイズの輪郭線を持つ筐体を構成したりできるようにした。さらに先端の鋭利な金属丸棒部分をはじめ、糸紡ぎ車としての作動部分をその筐体の内部に固定することで、収納時、取り出し時の安全性を確保する。
【考案の効果】
【０００５】  容易に入手できる安価な材料で製作できるのでコストを抑制でき、小さな空間に収容でき、壊れにくい上に容易に出し入れできる単純な形態でありながら、伝統的糸紡ぎ車の操作に習熟した紡ぎ手も、それと全く同じ技術で操作ができる。
【考案を実施するための最良の形態】
【０００６】  手動で回転を与える車（以下駆動輪）と、糸に撚りを与えるために高速回転する先端の鋭利な金属丸棒（いわゆるツム）を駆動するための車（以下ツム輪）との間に、中継用の車（以下中継輪）を設ける。中継輪は、径の小さな車と大きな車が中心を一にして一体化されていて、その中心を通る支持軸を中心に自由に回転するようになっている。その径の小さいほうの車へ駆動輪の回転を伝えて回転数を増幅させ、さらにそれと同速で回る大きな径の車から、径の小さいツム輪に回転を伝えることでさらに回転数を増幅させ、結果としてツムに駆動輪の４０〜７０倍の回転数を得る。
駆動輪と、中継用輪及びツム輪のそれぞれの回転軸を支える支柱は、それぞれ異なる台座にとりつけられる。それぞれの台座は、その裏面が収納のために組み立てた時の筐体の表面になる。
ツムをとりつけた支柱は、台座から取り外せるようになっていて、収納時にその鋭利な先端が外部に露出しない形で筐体の中に納められる。
手動により回転を与えるために、駆動輪軸にはハンドルを固定するが、このハンドルの握りも収納時には取り外して、収納用の筐体内部に収容できるようにする。
駆動輪の回転軸を支える支柱は、これと平行に垂直に台座に固定してある二本の支柱に密着してはさまれていて、その間を上下方向にスライドできるようになっている。動作時には操作者の体格に合わせて上方に固定し、収納時には占有空間を最小限にするために最下方で固定する。
収納時に筐体の天板となる二枚の並列板は、糸紡ぎ車構成時には、操作時の振動、動揺を抑制するために、直列に駆動輪の台座に固定され、操作者がその上に座って膝で糸紡ぎ車を固定するためのいわゆる“膝抑え”となる。
【実施例】
【０００７】以下、添付図面に従って一実施例を説明する。
図１は、組み立て済みの糸紡ぎ車である。この糸紡ぎ車は装置各部において、第０００３項「考案が解決しようとする課題」で述べたような、人体との関係についての要件を満たしている。【０００８】以下はこの状態から部品に分解するときの手順である。
まず、駆動輪（２３）、中継輪（７）、ツム輪（２）をつなぐ動力伝達用のＶ字ベルトを取り外す。
ホゾ（１７）で駆動輪台座（２５）に固定されている膝抑え（１８）を抜きとり、続いて膝抑え（２０）も同様に抜きとる。
次にホゾで固定されているハンドル握り（２１）をハンドル柄から抜きとる。
駆動輪支柱に水平方向に挿して支柱枠に固定してあるピンを抜き取り、駆動輪支柱を駆動輪とともに支柱固定枠に沿って最下端まで下ろし、その位置で再びピンを挿して固定する。
中継板（１３）両端に固着されているホゾ（１１）（１５）を、中継輪台座（８）、駆動輪台座（２５）のホゾ穴からそれぞれ抜く。
ツム支柱（３）固定用ピン（１）を上方に引いて中継輪台座（８）から抜く。続いて、ツム支柱（３）のホゾ穴（４）を、中継輪台座のホゾから解放してツム支柱（３）を中継輪台座（８）から取り去る。
部品群から糸紡ぎ車を組み立てるのは、以上の手順の逆の手順で行う。【０００９】以下は、分解された部品群を、収納用の筐体に構成する手順である
ハンドル握り（２１）を駆動輪台座（２５）のホゾ穴（２２）へ垂直に挿入して固定する。
駆動輪台座（２５）を、ホゾ穴（２４）を下にして垂直に立て、このホゾ穴を中継板ホゾ（１１）へ固定する。
中継輪台座（８）をホゾ穴（５）を下にして垂直に立て、このホゾ穴を中継板（１３）のホゾ（１５）へ固定する。
ツム支柱（３）をツム（６）の鋭利な先端が垂直に下に向き、且つツム支柱の底面が右方へ来る様な位置に保持して、先端を駆動輪のハンドル側支柱と駆動輪（２３）との間に差し込むように挿入し、ツム支柱底面のホゾ穴（４）を中継輪台座のホゾ（９）に固定する。
膝抑え（１８）のホゾ（１７）を駆動輪台座ホゾ穴（１４）へ固定し、中継輪台座のホゾ（１０）を、膝抑え（１８）のホゾ穴（１９）へ固定する。膝抑え（２０）についても同様に、その両端をそれぞれ駆動輪台座（２５）のホゾ穴（１６）と中継輪台座（８）のホゾ（１２）に固定する。
この筐体の部品群への分解は、以上の手順の逆手順で行う。【００１０】  （０００９）に述べた手順で組み立てた筐体を図２に示す。図１の糸紡ぎ車の動作部分はすべてＡ４サイズ書籍と同サイズの直方体輪郭線の中に収納され、その開放された二つの側面を除く外周は強固な台座板の裏面で保護される。
【図面の簡単な説明】
【００１１】
【図１】  手動糸紡ぎ車を構成したときの三面見取り図である。
【図２】  手動糸紡ぎ車を部品に分解してから、収納用Ａ４サイズ筐体を再構成したときの、正面図及び四面見取り図である。
【符号の説明】
【００１２】    １．ツム支柱固定用ピン
２．ツム輪
３．ツム支柱
４．ツム支柱固定用ホゾ穴
５．中継輪台座ホゾ穴
６．ツム
７．中継輪
８．中継輪台座
９．収納時ツム支柱固定ホゾ
１０．収納時膝抑え固定ホゾ
１１．中間板ホゾ
１２．収納時膝抑え固定ホゾ
１３．中間板
１４．収納時膝抑え固定ホゾ穴
１５．中間板ホゾ
１６．収納時膝抑え固定ホゾ穴
１７．膝抑えホゾ
１８．膝抑え
１９．膝抑えホゾ穴
２０．膝抑え
２１．ハンドル握り
２２．収納時ハンドル握り固定用ホゾ穴
２３．駆動輪
２４．駆動輪台座ホゾ穴
２５．駆動輪台座
【図１】
0003133347.tif 000003
【図２】
0003133347.tif 000004
【手続補正書】
【提出日】平成19年4月10日(2007.4.10)
【手続補正１】
【補正対象書類名】実用新案登録請求の範囲
【補正対象項目名】請求項１
【補正方法】変更
【補正の内容】
【請求項１】
手動回転可能な駆動輪を固定した駆動輪台座と、当該駆動輪によってベルト駆動される中継輪を固定した中継輪台座と、
当該中継輪台座上の当該中継輪から見て当該駆動輪とは反対側に回転可能に固定したツム輪と、当該ツム輪に当該中継輪の回転を伝達するためのベルトと、
当該ツム輪によって円周方向に回転されるツムと、当該駆動輪台座一端側に対してその一端側を、また当該中継輪台座一端側に対してその他端側を、それぞれ抜き差し可能な中間板と、を含み、
当該駆動輪を手動回転させることにより、当該中継輪及び当該ツム輪を介して当該ツムを回転可能に構成された手動糸紡ぎ車。